(57)【要約】【課題】  コピーに使用する原稿が個人情報が記載されている物や大事な書類であっても、悪用されることを回避する。【解決手段】  コントローラ８は、課金装置１によってお金の投入を確認し、原稿カバー開閉検知センサ３によって原稿のセットが完了していないことを確認した後、オペレーションパネル２上のコピースタートボタンが押下されると、コンタクトガラス上にセットされた原稿の画像を読み取り、その画像データを一時保存ＨＤＤ７に蓄積する。その後、原稿カバー開閉検知センサ３によって原稿カバーの開閉を検知すると、原稿取り忘れ確認プレスキャン装置６によりセンサスキャン装置５および原稿読み取りセンサ４を動作させて原稿の取り忘れの有無を確認し、原稿の取り忘れがないことを確認すると、一時保存ＨＤＤ７内の画像データに基づく印刷装置９による印刷処理を許可する。【選択図】        図１
2011182323.tif 000002
【特許請求の範囲】
【請求項１】
原稿のセット面に対して開閉可能な原稿カバーと、コピー開始の指示により、前記セット面にセットされた原稿の画像を読み取る画像読取手段と、該画像読取手段によって読み取った画像データに基づいて印刷媒体に対する印刷処理を行う印刷手段とを有する画像処理装置であって、
前記画像読取手段によって読み取った画像データを記憶する記憶手段と、
前記原稿カバーの開閉を検知する開閉検知手段と、
前記コピー開始が指示された後、前記開閉検知手段によって前記原稿カバーの開閉が検知された場合に、原稿が取り除かれていると判断して、前記記憶手段内の画像データに基づく前記印刷手段による印刷処理を許可する印刷許可手段とを設けたことを特徴とする画像処理装置。
【請求項２】
請求項１に記載の画像処理装置において、
前記コピー開始が指示された後、前記開閉検知手段によって前記原稿カバーの開閉が検知されなかった場合に、原稿が取り除かれていないと判断して、該判断に対応する報知を行う報知手段を設けたことを特徴とする画像処理装置。
【請求項３】
原稿のセット面に対して開閉可能な原稿カバーと、コピー開始の指示により、前記セット面にセットされた原稿の画像を読み取る画像読取手段と、該画像読取手段によって読み取った画像データに基づいて印刷媒体に対する印刷処理を行う印刷手段とを有する画像処理装置であって、
前記画像読取手段によって読み取った画像データを記憶する記憶手段と、
前記原稿カバーの開閉を検知する開閉検知手段と、
前記コピー開始が指示された後、前記開閉検知手段によって前記原稿カバーの開閉が検知された場合に、前記画像読取手段を動作させて原稿の取り忘れの有無を確認する原稿取り忘れ確認手段と、
該原稿取り忘れ確認手段によって原稿の取り忘れがないことを確認できた場合に、前記記憶手段内の画像データに基づく前記印刷手段による印刷処理を許可する印刷許可手段とを設けたことを特徴とする画像処理装置。
【請求項４】
請求項３に記載の画像処理装置において、
前記コピー開始が指示された後、前記開閉検知手段によって前記原稿カバーの開閉が検知されなかった場合、あるいは前記原稿取り忘れ確認手段によって原稿の取り忘れがないことを確認できなかった場合に、原稿が取り除かれていないと判断して、該判断に対応する報知を行う報知手段を設けたことを特徴とする画像処理装置。
【請求項５】
原稿のセット面に対して開閉可能な原稿カバーと、コピー開始の指示により、前記セット面にセットされた原稿の画像を読み取る画像読取手段と、該画像読取手段によって読み取った画像データに基づいて印刷媒体に対する印刷処理を行う印刷手段と、前記画像読取手段によって読み取った画像データを記憶する記憶手段と、前記原稿カバーの開閉を検知する開閉検知手段とを有する画像処理装置における原稿取り忘れ防止方法であって、
前記コピー開始が指示された後、前記開閉検知手段によって前記原稿カバーの開閉が検知された場合に、原稿が取り除かれていると判断して、前記記憶手段内の画像データに基づく前記印刷手段による印刷処理を許可することを特徴とする原稿取り忘れ防止方法。
【請求項６】
原稿のセット面に対して開閉可能な原稿カバーと、コピー開始の指示により、前記セット面にセットされた原稿の画像を読み取る画像読取手段と、該画像読取手段によって読み取った画像データに基づいて印刷媒体に対する印刷処理を行う印刷手段と、前記画像読取手段によって読み取った画像データを記憶する記憶手段と、前記原稿カバーの開閉を検知する開閉検知手段とを有する画像処理装置における原稿取り忘れ防止方法であって、
前記コピー開始が指示された後、前記開閉検知手段によって前記原稿カバーの開閉が検知された場合に、前記画像読取手段を動作させて原稿の取り忘れの有無を確認し、原稿の取り忘れがないことを確認できた場合に、前記記憶手段内の画像データに基づく前記印刷手段による印刷処理を許可することを特徴とする原稿取り忘れ防止方法。
【請求項７】
請求項５又は６に記載の原稿取り忘れ防止方法を、前記画像処理装置を制御するコンピュータに実行させるプログラム。
【請求項８】
請求項７記載のプログラムを記録したコンピュータ読み取り可能な記録媒体。 
【発明の詳細な説明】
【技術分野】
【０００１】
この発明は、コピー機能を有するコピー装置（複写機）や複合装置（ＭＦＰ）等の画像処理装置、その画像処理装置における原稿取り忘れ防止方法、その原稿取り忘れ防止方法を画像処理装置を制御するコンピュータに実行させるプログラム、およびそのプログラムを記録したコンピュータ読み取り可能な記録媒体に関する。
【背景技術】
【０００２】
例えば、コンビニエンスストアなどに設置されているコピー装置を使用してコピーを取りたい場合、お金を入れてコピーしたい用紙等の印刷媒体をセットした後、操作パネル上のコピー開始ボタンを押すことにより、コピーを取る。
ところで、自分がコピーを取ろうとした時に、たまたま前の人のコピー元の用紙等である原稿が残っていることがあるので、そのような場合には、原稿が残っていることを知らせるために、操作パネル上等に表示させたり、音で知らせたりする報知技術は既に知られている。例えば、特許文献１には、印刷後に原稿カバーの開閉動作の有無を確認し、原稿カバーの開閉動作がなければ、原稿の取り忘れであると判断して、エラーを表示することにより、原稿の取り忘れをユーザに報知する技術について開示されている。
【発明の概要】
【発明が解決しようとする課題】
【０００３】
しかしながら、特許文献１に記載のものは、原稿が残っていることをユーザに知らせるだけにすぎない。つまり、原稿を取り忘れていることをユーザに知らせるために、その旨を操作パネル上に表示させたり、音で知らせたりしても、原稿を取り忘れるユーザもいる。そのため、コピーする原稿が、個人情報が記載されている物（免許証，パスポート，通帳など）や大事な書類である場合もあり、他人に見られたり、拾得されたりして悪用される可能性があるという問題があった。
【０００４】
この発明は、上記の点に鑑みてなされたものであり、コピーに使用する原稿が個人情報が記載されている物（免許証，パスポート、通帳など）や大事な書類であっても、他人に見られたり、拾得されたりして悪用されないようにすることを目的とする。
【課題を解決するための手段】
【０００５】
この発明は、上記の目的を達成するため、以下に示す画像処理装置、その画像処理装置における原稿取り忘れ防止方法、その原稿取り忘れ防止方法を画像処理装置を制御するコンピュータに実行させるプログラム、およびそのプログラムを記録したコンピュータ読み取り可能な記録媒体をそれぞれ提供する。
【０００６】
この発明による画像処理装置は、原稿のセット面に対して開閉可能な原稿カバーと、コピー開始の指示により、上記セット面にセットされた原稿の画像を読み取る画像読取手段と、該画像読取手段によって読み取った画像データに基づいて印刷媒体に対する印刷処理を行う印刷手段とを有する画像処理装置であって、以下の（Ａ１）（Ａ２）にそれぞれ示すようにしたことを特徴とする。
【０００７】
（Ａ１）上記画像読取手段によって読み取った画像データを記憶する記憶手段と、上記原稿カバーの開閉を検知する開閉検知手段と、上記コピー開始が指示された後、上記開閉検知手段によって上記原稿カバーの開閉が検知された場合に、原稿が取り除かれていると判断して、上記記憶手段内の画像データに基づく上記印刷手段による印刷処理を許可する印刷許可手段とを設ける。なお、上記コピー開始が指示された後、上記開閉検知手段によって上記原稿カバーの開閉が検知されなかった場合に、原稿が取り除かれていないと判断して、該判断に対応する報知を行う報知手段を設けるとよい。
【０００８】
（Ａ２）上記画像読取手段によって読み取った画像データを記憶する記憶手段と、上記原稿カバーの開閉を検知する開閉検知手段と、上記コピー開始が指示された後、上記開閉検知手段によって上記原稿カバーの開閉が検知された場合に、上記画像読取手段を動作させて原稿の取り忘れの有無を確認する原稿取り忘れ確認手段と、それによって原稿の取り忘れがないことを確認できた場合に、上記記憶手段内の画像データに基づく上記印刷手段による印刷処理を許可する印刷許可手段とを設ける。なお、上記コピー開始が指示された後、上記開閉検知手段によって上記原稿カバーの開閉が検知されなかった場合、あるいは上記原稿取り忘れ確認手段によって原稿の取り忘れがないことを確認できなかった場合に、原稿が取り除かれていないと判断して、該判断に対応する報知を行う報知手段を設けるとよい。
【０００９】
この発明による原稿取り忘れ防止方法は、原稿のセット面に対して開閉可能な原稿カバーと、コピー開始の指示により、上記セット面にセットされた原稿の画像を読み取る画像読取手段と、該画像読取手段によって読み取った画像データに基づいて印刷媒体に対する印刷処理を行う印刷手段と、上記画像読取手段によって読み取った画像データを記憶する記憶手段と、上記原稿カバーの開閉を検知する開閉検知手段とを有する画像処理装置における原稿取り忘れ防止方法であって、以下の（Ｂ１）（Ｂ２）にそれぞれ示すようにしたことを特徴とする。
【００１０】
（Ｂ１）上記コピー開始が指示された後、上記開閉検知手段によって上記原稿カバーの開閉が検知された場合に、原稿が取り除かれていると判断して、上記記憶手段内の画像データに基づく上記印刷手段による印刷処理を許可する。
（Ｂ２）上記コピー開始が指示された後、上記開閉検知手段によって上記原稿カバーの開閉が検知された場合に、上記画像読取手段を動作させて原稿の取り忘れの有無を確認し、原稿の取り忘れがないことを確認できた場合に、上記記憶手段内の画像データに基づく上記印刷手段による印刷処理を許可する。
【００１１】
この発明によるプログラムは、（Ｂ１）又は（Ｂ２）に示した原稿取り忘れ防止方法を、上記画像処理装置を制御するコンピュータに実行させるプログラムである。
この発明による記録媒体は、上記のプログラムを記録したコンピュータ読み取り可能な記録媒体である。
【００１２】
この発明によれば、画像処理装置（又はそれを制御するコンピュータ）が、コピー開始の指示により、セット面にセットされた原稿の画像を読み取って、その画像データを記憶手段に蓄積するが、コピー開始が指示された後、つまり画像データが記憶手段に蓄積された後、原稿カバーの開閉を検知した場合に、原稿が取り除かれていると判断して、記憶手段内の画像データに基づく印刷手段による印刷処理を許可するか、あるいは、同様のタイミングで原稿カバーの開閉を検知した場合に、画像読取手段を動作させて原稿の取り忘れの有無を確認し、原稿の取り忘れがないことを確認できた場合に、記憶手段内の画像データに基づく印刷手段による印刷処理を許可する。
【発明の効果】
【００１３】
この発明によれば、コピーに使用する原稿が個人情報が記載されている物や大事な書類であっても、他人に見られたり、拾得されたりして悪用されることを回避することができる。
【図面の簡単な説明】
【００１４】
【図１】この発明の一実施形態であるコピー装置の構成例を示す図である。
【図２】図１のコントローラ８によるコピー動作の制御手順の第１例を示すフロー図である。
【図３】同じくコピー動作の制御手順の第２例を示すフロー図である。
【発明を実施するための形態】
【００１５】
以下、この発明を実施するための形態を図面に基づいて具体的に説明する。
以下の実施形態では、原稿の取り忘れ防止に際して、以下の特徴を有する。つまり、お金が投入され、原稿がセット面（コンタクトガラスの上面）にセットされた状態でスタートボタンが押下されると、原稿の画像面に対してスキャンを開始して画像読み取りを行うが、読み取った原稿の画像データを印刷処理する前に、原稿カバーが開いて原稿が取り除かれなければ、その印刷処理を行わないようにしたことが特徴になっている。 
【００１６】
図１は、この発明の一実施形態であるコピー装置の構成例を示す図である。
このコピー装置は、課金装置１，オペレーションパネル２，原稿カバー開閉検知センサ３，原稿読み取りセンサ４，センサスキャン装置５，原稿取り忘れ確認プレスキャン装置６，一時保存ＨＤＤ７，コントローラ８，印刷装置９，表示装置１０，およびブザー報知装置１１等からなる原稿取り忘れ防止機能付きのデジタル複写機である。
【００１７】
課金装置１は、コピー装置へのお金の投入の有無を検知するものである。
オペレーションパネル２は、スキャン動作、つまりコピー動作を開始させるためのコピースタートボタンを押下するための操作パネルである。
原稿カバー開閉検知センサ３は、原稿カバーの開閉の有無を検知するセンサ（例えば反射型光センサ）であり、開閉検知手段に相当する。原稿カバーは、原稿をセットするコンタクトガラスの上面に対して開閉可能に備えている。
【００１８】
原稿読み取りセンサ４は、コンタクトガラスの下面側に移動可能に配置され、コンタクトガラスの上面にセットされた原稿の下面（画像面）に光を照射する発光部と、その画像面からの反射光を受光する受光部とからなり、原稿読み取りセンサ４をスキャン動作させるためのセンサスキャン装置５とにより、原稿の画像面に対するスキャン（画像走査）動作を行って、その原稿の画像を光学的に読み取るものであり、画像読取手段としての機能を果す。
【００１９】
原稿取り忘れ確認プレスキャン装置６は、コンタクトガラスの上面から原稿を取り忘れてないか確認するために、原稿読み取りセンサ４およびセンサスキャン装置５によってプレスキャンを実施するものであり、原稿取り忘れ確認手段に相当する。なお、原稿読み取りセンサ４およびセンサスキャン装置５を使用せず、反射型光センサ等の専用センサを用いることにより、原稿を取り忘れてないか確認することも可能である。
【００２０】
一時保存ＨＤＤ７は、原稿読み取りセンサ４のスキャンにより、その原稿読み取りセンサ４によって読み取られた画像データ（スキャンデータ）を一時的に保存するための記録媒体であり、記憶手段に相当する。
コントローラ８は、コピー装置全体を制御するものである。このコントローラ８は、各種データを一時的に記憶する読み書き可能な記憶手段であるＲＡＭと、プログラムを含む各種データを記憶している読み込み専用の記憶手段であるＲＯＭと、プログラムを実行するＣＰＵとを備えており、ＣＰＵがプログラムを実行することにより、この発明に関わる印刷許可手段としての機能を果すことができる。
【００２１】
印刷装置９は、電子写真方式又はインクジェット方式等の印刷方式を用い、一時保存ＨＤＤ７に一時的に保存された画像データを印刷処理する。つまり、その画像データに基づいて用紙等の印刷媒体上に印刷（画像形成）を行い、印刷後の印刷媒体（原稿のコピー）を排紙する。この印刷装置９は、印刷手段に相当する。
表示装置１０は、エラー等の各種情報をＬＣＤ表示（他の表示でもよい）によってユーザへ報知する。
ブザー報知装置１１は、エラーが発生した場合に、その旨をブザー音によってユーザへ報知する。このブザー報知装置１１と表示装置１０が、報知手段としての機能を果す。
【００２２】
このように構成されたコピー装置において、コントローラ８が、課金装置１によりお金の投入の有無を確認（判断）し、お金の投入を確認すると、原稿カバー開閉検知センサ３により、原稿がコンタクトガラスの上面にセットされたことを確認した後、センサスキャン装置５によって原稿読み取りセンサ４にスキャン動作を行わせる。それによって、原稿読み取りセンサ４が原稿の画像面をスキャンして、その原稿の画像を読み取る。スキャン動作によって原稿から読み取られた画像データ（スキャンデータ）は、一旦、一時保存ＨＤＤ７に格納する。
【００２３】
原稿のスキャンが終了したら、原稿カバー開閉検知センサ３や原稿取り忘れ確認プレスキャン装置６により、コンタクトガラス上の原稿の有無を検知し、原稿がセットされたままであれば表示装置１０に原稿を取り除く旨のメッセージを表示させる。同時に、ブザー報知装置１１より、ブザー音を鳴らし、原稿の取り忘れをユーザへ報知する。
そして、原稿が取り除かれたら、印刷装置９により、一時保存ＨＤＤ７に一時保存されたスキャンデータを印刷処理させ、印刷物を排紙させる。
【００２４】
以下、このコピー装置によるコピー動作の各実施例について、図２および図３を参照して具体的に説明する。
〔第１実施例〕
図２は、図１のコントローラ８によるコピー動作の制御手順の第１例を示すフローチャートである。
コントローラ８は、まずステップＳ１で課金装置１によってコピー装置へのお金の投入の有無を確認し、お金の投入を確認すると、ステップＳ２でコピー装置を動作可能状態にする。
【００２５】
次に、ステップＳ３へ進み、原稿カバー開閉検知センサ３によってコンタクトガラス上への原稿のセットが完了したかどうかを確認する。つまり、原稿カバー開閉検知センサ３により、原稿カバーが開いたことが検知された後、原稿カバーが閉じたことを検知すると、コンタクトガラス上への原稿のセットが完了したことを確認する。もし、原稿カバーの開閉が検知されなかった場合には、まだ原稿のセットが完了していないことを確認する。
【００２６】
そして、原稿のセットが完了していないことを確認した場合には、ステップＳ９へ移行し、表示装置１０によって原稿をセットする旨のメッセージを表示させた後、ステップＳ３へ戻る。
原稿のセットが完了したことを確認した場合には、ステップＳ４へ進み、オペレーションパネル２上のコピースタートボタンが押下されると、コピー動作の開始を認識して、ステップＳ５へ進み、センサスキャン装置５によって原稿読み取りセンサ４にスキャン動作を開始させる。それによって、原稿読み取りセンサ４が、コンタクトガラスの上面にセットされている原稿の画像面をスキャンして、その原稿の画像を読み取る。
【００２７】
コントローラ８は、センサスキャン装置５にスキャン動作を開始させると、ステップＳ６へ進み、原稿読み取りセンサ４によって読み取られた画像データを一時保存ＨＤＤ７に格納する。
その後、ステップＳ７へ進み、原稿カバー開閉検知センサ３によってコンタクトガラス上から原稿が取り除かれたかどうかを確認する。つまり、原稿カバー開閉検知センサ３により、原稿カバーが開いたことが検知された後、原稿カバーが閉じたことを検知すると、コンタクトガラス上から原稿が取り除かれたことを確認する。もし、原稿カバーの開閉が検知されなかった場合には、まだ原稿が取り除かれていないことを確認する。
【００２８】
そして、原稿が取り除かれていないことを確認した場合には、ステップＳ１０へ移行し、ステップＳ１０，Ｓ１１で以下の処理を行う。つまり、表示装置１０によって原稿を取り除く旨（原稿を取り忘れている旨）のメッセージを表示させると同時に、ブザー報知装置１１によってブザー音で原稿が取り除かれていない旨（原稿の取り忘れがある旨）をユーザへ報知する。
原稿が取り除かれていることを確認した場合には、印刷装置９による印刷処理を許可してステップＳ８へ進み、印刷装置９により、一時保存ＨＤＤ７に一時保存されたスキャンデータを読み出して印刷処理させ、印刷物を排紙させる。
【００２９】
このように、コピー装置が、コピー開始の指示により、セット面にセットされた原稿の画像をセンサスキャン装置５および原稿読み取りセンサ４により読み取って、その画像データを一時保存ＨＤＤ７に蓄積するが、コピー開始が指示された後、つまり画像データが一時保存ＨＤＤ７に蓄積された後、原稿カバーの開閉を原稿カバー開閉検知センサ３によって検知した場合に、原稿が取り除かれていると判断して、一時保存ＨＤＤ７内の画像データに基づく印刷装置９による印刷処理を許可するので、コピーに使用する原稿が個人情報が記載されている物や大事な書類であっても、他人に見られたり、拾得されたりして悪用されることを回避することができる。
【００３０】
〔第２実施例〕
図３は、図１のコントローラ８によるコピー動作の制御手順の第２例を示すフローチャートである。
第２実施例において、図３のステップＳ２１〜Ｓ２７，Ｓ３１〜Ｓ３３の各処理は、図２のステップＳ１〜Ｓ７，Ｓ９〜Ｓ１１の各処理と略同様であるので、説明のほとんどを省略する。
【００３１】
コントローラ８は、図３のステップＳ２７において、原稿読み取りセンサ４によって原稿が取り除かれていることを確認した場合には、ステップＳ２８へ進み、原稿取り忘れ確認プレスキャン装置６に原稿取り忘れ確認プレスキャンを実施させ、コンタクトガラス上からの原稿の取り忘れがないか確認する。
【００３２】
そして、原稿の取り忘れがあることを確認した場合には、ステップＳ３２へ移行し、ステップＳ３２，Ｓ３３で以下の処理を行う。つまり、表示装置１０によって原稿を取り忘れている旨（原稿を取り除く旨）のメッセージを表示させると同時に、ブザー報知装置１１によってブザー音で原稿の取り忘れがある旨（原稿が取り除かれていない旨）をユーザへ報知する。
【００３３】
原稿の取り忘れがないことを確認した場合、つまり原稿カバー開閉検知センサ３および原稿取り忘れ確認プレスキャン装置５によって原稿が取り除かれていることを確認した場合には、印刷装置９による印刷処理を許可してステップＳ８へ進み、印刷装置９により、一時保存ＨＤＤ７に一時保存されたスキャンデータを読み出して印刷処理させ、印刷物を排紙させる。
【００３４】
このように、コピー装置が、コピー開始の指示により、セット面にセットされた原稿の画像を読み取って、その画像データを一時保存ＨＤＤ７に蓄積するが、コピー開始が指示された後、つまり画像データが一時保存ＨＤＤ７に蓄積された後、原稿カバーの開閉を検知した場合に、原稿取り忘れ確認プレスキャン装置６によってセンサスキャン装置５および原稿読み取りセンサ４を動作させて原稿の取り忘れの有無を確認し、原稿の取り忘れがないことを確認できた場合に、一時保存ＨＤＤ７内の画像データに基づく印刷装置９による印刷処理を許可するので、コピーに使用する原稿が個人情報が記載されている物や大事な書類であっても、他人に見られたり、拾得されたりして悪用されることを確実に回避することができる。
【００３５】
なお、この発明をコピー装置に適用した実施形態について説明したが、この発明はこれに限らず、コピー機能を有する複合装置等の各種画像処理装置に適用可能である。
〔この発明に関わるプログラム〕
このプログラムは、画像処理装置を制御するコンピュータ（ＣＰＵ）に、この発明に関わる印刷許可手段としての機能を実現させるためのプログラムであり、このようなプログラムをコンピュータに実行させることにより、上述したような作用効果を得ることができる。
【００３６】
このようなプログラムは、はじめから画像処理装置に備えるＲＯＭ、あるいは不揮発性メモリ（フラッシュＲＯＭ，ＥＥＰＲＯＭ等）、あるいはＨＤＤ（ハードディスク装置）などの記憶手段に格納しておいてもよいが、記録媒体であるＣＤ−ＲＯＭ、あるいはメモリカード，フレキシブルディスク，ＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，又はＤＶＤ−ＲＡＭ等の不揮発性記録媒体（メモリ）に記録して提供することもできる。それらの記録媒体に記録されたプログラムを画像処理装置にインストールしてＣＰＵに実行させるか、ＣＰＵにそれらの記録媒体からこのプログラムを読み出して実行させることにより、上述した各手順を実行させることができる。
さらに、ネットワークに接続され、プログラムを記録した記録媒体を備える外部機器あるいはプログラムを記憶手段に記憶した外部機器からダウンロードして実行させることも可能である。
【産業上の利用可能性】
【００３７】
以上の説明から明らかなように、この発明によれば、コピーに使用する原稿が個人情報が記載されている物や大事な書類であっても、他人に見られたり、拾得されたりして悪用されることを回避することができる。したがって、高セキュリティの画像処理装置を提供することができる。
【符号の説明】
【００３８】
１：課金装置    ２：オペレーションパネル    ３：原稿カバー開閉検知センサ
４：原稿読み取りセンサ    ５：センサスキャン装置
６：原稿取り忘れ確認プレスキャン装置    ７：一時保存ＨＤＤ７    ８：コントローラ
９：印刷装置    １０：表示装置    １１：ブザー報知装置
【先行技術文献】
【特許文献】
【００３９】
【特許文献１】特開２００６−２１７１０３号公報
【図１】
2011182323.tif 000003
【図２】
2011182323.tif 000004
【図３】
2011182323.tif 000005